【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
製品の設計を複数の作業担当者で行う設計業務を支援する設計支援システムであって、
ユーザによって定義され入力された、前記製品の設計に必要となる、
設計仕様、
構成部品、
設計項目、
設計仕様と構成部品の関係、並びに、
設計項目と設計仕様又は構成部品の関係、
をデータベースに登録する第一の登録手段と、
ユーザによって定義され入力された、作業担当者ごとの、
当該作業担当者が担当する業務内容に応じた担当者属性、及び、
設計項目に関する設計項目属性、
をデータベースに登録する第二の登録手段と、
前記製品の特定機種について、
設計仕様、
前記第一の登録手段によりデータベースに登録された、設計仕様と設計項目の関係、並びに、
前記第二の登録手段によりデータベースに登録された担当者属性及び設計項目属性、
に基づいて、作業担当者ごとの作業内容の決定を促すための情報を作成し、ユーザに提示する第一の情報提示手段と、
を具備することを特徴とする設計支援システム。
【請求項２】
製品の設計を複数の作業担当者で行う設計業務を支援する設計支援システムであって、
ユーザによって定義され入力された、前記製品の設計に必要となる、
設計仕様、
構成部品、
設計項目、
前記設計仕様と前記構成部品との関係、並びに、
前記設計項目と前記設計仕様又は前記構成部品との関係、
をデータベースに登録する第一の登録手段と、
ユーザによって定義され入力された、作業担当者ごとの、
当該作業担当者が担当する業務内容に応じた担当者属性、及び、
前記設計項目に関する設計項目属性、
をデータベースに登録する第二の登録手段と、
前記製品の特定機種について、
設計仕様、並びに、
前記第二の登録手段によりデータベースに登録された担当者属性及び設計項目属性、
に基づいて、作業担当者ごとの設計仕様の内容の決定を促すための情報を作成し、ユーザに提示する第二の情報提示手段と、
データベースから、
前記第二の情報提示手段により提示された情報に基づいてユーザにより決定され入力された作業担当者ごとの設計仕様、及び、
前記第一の登録手段により登録された設計仕様と構成部品の関係、
に基づいて、作業担当者ごとの、１以上の構成部品を抽出して、当該抽出された１以上の構成部品をユーザに提示するとともに、当該１以上の構成部品から一の構成部品の決定をユーザに促すための情報を作成してユーザに提示する、第三の情報提示手段と、
データベースから、
前記第二の情報提示手段により提示された情報に基づいてユーザにより決定され入力された作業担当者ごとの設計仕様、
前記第三の情報提示手段により提示された情報に基づいてユーザにより決定され入力された作業担当者ごとの構成部品、及び、
前記第一の登録手段によりデータベースに登録された設計項目と設計仕様又は構成部品の関係、
に基づいて、作業担当者ごとの、前記特定機種で用いる１以上の設計項目を抽出して、当該抽出された１以上の設計項目をユーザに提示するとともに、当該１以上の設計項目から一の設計項目の決定をユーザに促すための情報を作成してユーザに提示する、第四の情報提示手段と、
前記第四の情報提示手段により提示された情報に基づいてユーザにより決定され入力された作業担当者ごとの設計項目の具体的な作業内容を対応する作業担当者に提示するとともに、当該作業内容の遂行を促すための情報を作成して当該対応する作業担当者に提示する、第五の情報提示手段と、
を具備することを特徴とする設計支援システム。
【請求項３】
前記設計項目属性は、構成部品、担当者スキル、得意先、のうちの少なくとも１つに関する情報を含む、
ことを特徴とする請求項１又は２記載の設計支援システム。
【請求項４】
製品の設計を複数の作業担当者で行う設計業務を支援するコンピュータプログラムであって、
コンピュータによって実行されたときに、当該コンピュータを、
ユーザによって定義され入力された、前記製品の設計に必要となる、
設計仕様、
構成部品、
設計項目、
設計仕様と構成部品の関係、並びに、
設計項目と設計仕様又は構成部品の関係、
をデータベースに登録する第一の登録手段、
ユーザによって定義され入力された、作業担当者ごとの、
当該作業担当者が担当する業務内容に応じた担当者属性、及び、
設計項目に関する設計項目属性、
をデータベースに登録する第二の登録手段、及び、
前記製品の特定機種について、
設計仕様、
前記第一の登録手段によりデータベースに登録された、設計仕様と設計項目の関係、並びに、
前記第二の登録手段によりデータベースに登録された担当者属性及び設計項目属性、
に基づいて、作業担当者ごとの作業内容の決定を促すための情報を作成し、ユーザに提示する第一の情報提示手段、
として機能させることを特徴とするコンピュータプログラム。
【請求項５】
製品の設計を複数の作業担当者で行う設計業務を支援するコンピュータプログラムであって、
コンピュータによって実行されたときに、当該コンピュータを、
ユーザによって定義され入力された、前記製品の設計に必要となる、
設計仕様、
構成部品、
設計項目、
前記設計仕様と前記構成部品との関係、並びに、
前記設計項目と前記設計仕様又は前記構成部品との関係、
をデータベースに登録する第一の登録手段、
ユーザによって定義され入力された、作業担当者ごとの、
当該作業担当者が担当する業務内容に応じた担当者属性、及び、
前記設計項目に関する設計項目属性、
をデータベースに登録する第二の登録手段、
前記製品の特定機種について、
設計仕様、並びに、
前記第二の登録手段によりデータベースに登録された担当者属性及び設計項目属性、
に基づいて、作業担当者ごとの設計仕様の内容の決定を促すための情報を作成し、ユーザに提示する第二の情報提示手段、
データベースから、
前記第二の情報提示手段により提示された情報に基づいてユーザにより決定され入力された作業担当者ごとの設計仕様、及び、
前記第一の登録手段により登録された設計仕様と構成部品の関係、
に基づいて、作業担当者ごとの、１以上の構成部品を抽出して、当該抽出された１以上の構成部品をユーザに提示するとともに、当該１以上の構成部品から一の構成部品の決定をユーザに促すための情報を作成してユーザに提示する、第三の情報提示手段、
データベースから、
前記第二の情報提示手段により提示された情報に基づいてユーザにより決定され入力された作業担当者ごとの設計仕様、
前記第三の情報提示手段により提示された情報に基づいてユーザにより決定され入力された作業担当者ごとの構成部品、及び、
前記第一の登録手段によりデータベースに登録された設計項目と設計仕様又は構成部品の関係、
に基づいて、作業担当者ごとの、前記特定機種で用いる１以上の設計項目を抽出して、当該抽出された１以上の設計項目をユーザに提示するとともに、当該１以上の設計項目から一の設計項目の決定をユーザに促すための情報を作成してユーザに提示する、第四の情報提示手段、及び、
前記第四の情報提示手段により提示された情報に基づいてユーザにより決定され入力された作業担当者ごとの設計項目の具体的な作業内容を対応する作業担当者に提示するとともに、当該作業内容の遂行を促すための情報を作成して当該対応する作業担当者に提示する、第五の情報提示手段、
として機能させることを特徴とするコンピュータプログラム。
【請求項６】
前記設計項目属性は、構成部品、担当者スキル、得意先、のうちの少なくとも１つに関する情報を含む、
ことを特徴とする請求項４又は５記載のコンピュータプログラム。
【手続補正２】
【補正対象書類名】明細書
【補正対象項目名】００１０
【補正方法】変更
【補正の内容】
【００１０】
上記目的を達成するための本発明の第一の態様は、製品の設計を複数の作業担当者で行う設計業務を支援する設計支援システムであって、ユーザによって定義され入力された、上記製品の設計に必要となる、ａ）設計仕様、ｂ）構成部品、ｃ）設計項目、ｄ）設計仕様と構成部品の関係、並びに、ｅ）設計項目と設計仕様又は構成部品の関係、をデータベースに登録する第一の登録手段と、ユーザによって定義され入力された、作業担当者ごとの、１）当該作業担当者が担当する業務内容に応じた担当者属性、及び、２）設計項目に関する設計項目属性、をデータベースに登録する第二の登録手段と、上記製品の特定機種について、Ａ）設計仕様、Ｂ）上記第一の登録手段によりデータベースに登録された、設計仕様と設計項目の関係、並びに、Ｃ）上記第二の登録手段によりデータベースに登録された担当者属性及び設計項目属性、に基づいて、作業担当者ごとの作業内容の決定を促すための情報を作成し、ユーザに提示する第一の情報提示手段と、を具備する設計支援システムである。
上記第一の態様において、上記設計項目属性は、例えば、構成部品、担当者スキル、得意先、のうちの少なくとも１つに関する情報を含む。
上記目的を達成するための本発明の第二の態様は、製品の設計を複数の作業担当者で行う設計業務を支援する設計支援システムであって、ユーザによって定義され入力された、上記製品の設計に必要となる、ａ）設計仕様、ｂ）構成部品、ｃ）設計項目、ｄ）上記設計仕様と上記構成部品との関係、並びに、ｅ）上記設計項目と上記設計仕様又は上記構成部品との関係、をデータベースに登録する第一の登録手段と、ユーザによって定義され入力された、作業担当者ごとの、１）当該作業担当者が担当する業務内容に応じた担当者属性、及び、２）上記設計項目に関する設計項目属性、をデータベースに登録する第二の登録手段と、上記製品の特定機種について、Ａ）設計仕様、並びに、Ｂ）上記第二の登録手段によりデータベースに登録された担当者属性及び設計項目属性、に基づいて、作業担当者ごとの設計仕様の内容の決定を促すための情報を作成し、ユーザに提示する第二の情報提示手段と、データベースから、ｉ）上記第二の情報提示手段により提示された情報に基づいてユーザにより決定され入力された作業担当者ごとの設計仕様、及び、ｉｉ）上記第一の登録手段により登録された設計仕様と構成部品の関係、に基づいて、作業担当者ごとの、１以上の構成部品を抽出して、当該抽出された１以上の構成部品をユーザに提示するとともに、当該１以上の構成部品から一の構成部品の決定をユーザに促すための情報を作成してユーザに提示する、第三の情報提示手段と、データベースから、ア）上記第二の情報提示手段により提示された情報に基づいてユーザにより決定され入力された作業担当者ごとの設計仕様、イ）上記第三の情報提示手段により提示された情報に基づいてユーザにより決定され入力された作業担当者ごとの構成部品、及び、ウ）上記第一の登録手段によりデータベースに登録された設計項目と設計仕様又は構成部品の関係、に基づいて、作業担当者ごとの、上記特定機種で用いる１以上の設計項目を抽出して、当該抽出された１以上の設計項目をユーザに提示するとともに、当該１以上の設計項目から一の設計項目の決定をユーザに促すための情報を作成してユーザに提示する、第四の情報提示手段と、上記第四の情報提示手段により提示された情報に基づいてユーザにより決定され入力された作業担当者ごとの設計項目の具体的な作業内容を対応する作業担当者に提示するとともに、当該作業内容の遂行を促すための情報を作成して当該対応する作業担当者に提示する、第五の情報提示手段と、を具備する設計支援システムである。
上記第二の態様において、上記設計項目属性は、例えば、構成部品、担当者スキル、得意先、のうちの少なくとも１つに関する情報を含む。
上記目的を達成するための本発明の第三の態様は、製品の設計を複数の作業担当者で行う設計業務を支援するコンピュータプログラムであって、コンピュータによって実行されたときに、当該コンピュータを、ユーザによって定義され入力された、上記製品の設計に必要となる、ａ）設計仕様、ｂ）構成部品、ｃ）設計項目、ｄ）設計仕様と構成部品の関係、並びに、ｅ）設計項目と設計仕様又は構成部品の関係、をデータベースに登録する第一の登録手段、ユーザによって定義され入力された、作業担当者ごとの、１）当該作業担当者が担当する業務内容に応じた担当者属性、及び、２）設計項目に関する設計項目属性、をデータベースに登録する第二の登録手段、及び、上記製品の特定機種について、Ａ）設計仕様、Ｂ）上記第一の登録手段によりデータベースに登録された、設計仕様と設計項目の関係、並びに、Ｃ）上記第二の登録手段によりデータベースに登録された担当者属性及び設計項目属性、に基づいて、作業担当者ごとの作業内容の決定を促すための情報を作成し、ユーザに提示する第一の情報提示手段、として機能させるコンピュータプログラムである。
上記第三の態様において、上記設計項目属性は、例えば、構成部品、担当者スキル、得意先、のうちの少なくとも１つに関する情報を含む。
上記目的を達成するための本発明の第四の態様は、製品の設計を複数の作業担当者で行う設計業務を支援するコンピュータプログラムであって、コンピュータによって実行されたときに、当該コンピュータを、ユーザによって定義され入力された、上記製品の設計に必要となる、ａ）設計仕様、ｂ）構成部品、ｃ）設計項目、ｄ）上記設計仕様と上記構成部品との関係、並びに、ｅ）上記設計項目と上記設計仕様又は上記構成部品との関係、をデータベースに登録する第一の登録手段、ユーザによって定義され入力された、作業担当者ごとの、１）当該作業担当者が担当する業務内容に応じた担当者属性、及び、２）上記設計項目に関する設計項目属性、をデータベースに登録する第二の登録手段、上記製品の特定機種について、Ａ）設計仕様、並びに、Ｂ）上記第二の登録手段によりデータベースに登録された担当者属性及び設計項目属性、に基づいて、作業担当者ごとの設計仕様の内容の決定を促すための情報を作成し、ユーザに提示する第二の情報提示手段、データベースから、ｉ）上記第二の情報提示手段により提示された情報に基づいてユーザにより決定され入力された作業担当者ごとの設計仕様、及び、ｉｉ）上記第一の登録手段により登録された設計仕様と構成部品の関係、に基づいて、作業担当者ごとの、１以上の構成部品を抽出して、当該抽出された１以上の構成部品をユーザに提示するとともに、当該１以上の構成部品から一の構成部品の決定をユーザに促すための情報を作成してユーザに提示する、第三の情報提示手段、データベースから、ア）上記第二の情報提示手段により提示された情報に基づいてユーザにより決定され入力された作業担当者ごとの設計仕様、イ）上記第三の情報提示手段により提示された情報に基づいてユーザにより決定され入力された作業担当者ごとの構成部品、及び、ウ）上記第一の登録手段によりデータベースに登録された設計項目と設計仕様又は構成部品の関係、に基づいて、作業担当者ごとの、上記特定機種で用いる１以上の設計項目を抽出して、当該抽出された１以上の設計項目をユーザに提示するとともに、当該１以上の設計項目から一の設計項目の決定をユーザに促すための情報を作成してユーザに提示する、第四の情報提示手段、及び、上記第四の情報提示手段により提示された情報に基づいてユーザにより決定され入力された作業担当者ごとの設計項目の具体的な作業内容を対応する作業担当者に提示するとともに、当該作業内容の遂行を促すための情報を作成して当該対応する作業担当者に提示する、第五の情報提示手段、として機能させるコンピュータプログラムである。
上記第四の態様において、上記設計項目属性は、例えば、構成部品、担当者スキル、得意先、のうちの少なくとも１つに関する情報を含む。